(57)【特許請求の範囲】
【請求項１】
センサー部と、コンパレータ部と、アラーム部とを有する濡れ検知ノズルであって、
センサー部は、水、湿気の気化熱で変化する気体の温度と、空気中の気温とを感知する複数の素子であり、
コンパレータ部は、該複数の素子を平衡回路に構成して水、湿気の気化熱で変化する気体の温度と、空気中の気温とを感知して比較し、温度差を検出して濡れ検知信号を出力するものであり、
アラーム部は、該濡れ検知信号を受信し、音、光、振動を発するものであり、
センサー部は、コンパレータ部の入力側に接続し、アラーム部は、コンパレータ部の出力側に接続し、コンパレータ部とアラーム部は、基板に一体に組み込んでノズル枠に設け、掃除機の吸気側に着脱自在に接続し、濡れを検知して吸気乾燥するようにしたものであることを特徴とする濡れ検知ノズル。
【請求項２】
平衡調整部を有する濡れ検知ノズルであって、
平衡調整部は、該複数の素子で構成する平衡回路の電圧バランスを調整する可変抵抗器を、コンパレータ部に一体に組み込んだものであることを特徴とする請求項１記載の濡れ検知ノズル。
【請求項３】
電源部を有する濡れ検知ノズルであって、
電源部は、センサー部、コンパレータ部、アラーム部に電気エネルギーを供給する電池を、該ノズル枠に設けたものであることを特徴とする請求項１記載の濡れ検知ノズル。
【請求項４】
前記複数の素子は、該ノズル枠の内側と外側とが対になるように設け、被検知物とは非接触になるものであることを特徴とする請求項１記載の濡れ検知ノズル。
【発明の詳細な説明】
【技術分野】
【０００１】  この発明は、濡れを検知して乾燥する濡れ検知ノズルの機能に関する。
【背景技術】
【０００２】  従来、この種の機能は、水、湿気が付着すると抵抗値が変化するセンサー部と、抵抗値の変化を検出して検知信号を発信するコンパレータ部と、検知信号を受信して音、光、振動を発するアラーム部と、センサー部、コンパレータ部、アラーム部に電気エネルギーを供給する乾電池を電源とする電源部とからなり、センサー部を装置の先端側に設け、コンパレータ部と、アラーム部と、電源部とを中空の円筒容器に収納して把持し、センサー部を被検知物に接触して濡れ検知をしている。（例えば、特許文献１、特許文献２参照）【０００３】
【特許文献１】  特開２００７−２４０５０５号公報（第３−４頁、第１図）
【特許文献２】  特開２００３−２２２６０１号公報（第３−５頁、第１図）
【発明の開示】
【発明が解決しようとする課題】
【０００４】  しかしながら、以上の技術によれば、被検知物の濡れ検知のみに限られるため、乾燥することには無力であり、清掃するのに時間が掛かり効率的でなかった。
そこで、この発明は、被検知物の濡れを検知して乾燥することにより、清掃効率と出来栄えを向上する濡れ検知ノズルの提供を課題とする。
【課題を解決するための手段】
【０００５】  以上の課題を解決するために、第一発明は、センサー部と、コンパレータ部と、アラーム部とを有する濡れ検知ノズルであって、センサー部は、水、湿気の気化熱で変化する気体の温度と、空気中の気温とを感知する複数の素子であり、コンパレータ部は、該複数の素子を平衡回路に構成して水、湿気の気化熱で変化する気体の温度と、空気中の気温とを感知して比較し、温度差を検出して濡れ検知信号を出力するものであり、【０００６】
アラーム部は、該濡れ検知信号を受信し、音、光、振動を発するものであり、センサー部は、コンパレータ部の入力側に接続し、アラーム部は、コンパレータ部の出力側に接続し、コンパレータ部とアラーム部は、基板に一体に組み込んでノズル枠に設け、掃除機の吸気側に着脱自在に接続し、濡れを検知して吸気乾燥するようにしたものであることを特徴とする濡れ検知ノズル。
【０００７】
また、第二発明は、平衡調整部を有する濡れ検知ノズルであって、平衡調整部は、該複数の素子で構成する平衡回路の電圧バランスを調整する可変抵抗器を、コンパレータ部に一体に組み込んだものであることを特徴とする濡れ検知ノズル。
また、第三発明は、電源部を有する濡れ検知ノズルであって、電源部は、センサー部、コンパレータ部、アラーム部に電気エネルギーを供給する電池を、該ノズル枠に設けたものであることを特徴とする濡れ検知ノズル。
【０００８】
また、第四発明は、前記複数の素子を、該ノズル枠の内側と外側とが対になるように設け、被検知物とは非接触になるものであることを特徴とする濡れ検知ノズル。
【発明の効果】
【０００９】
第一発明、第二発明、第三発明、によれば、センサー部、コンパレータ部、平衡調整部、アラーム部及び電源部をノズル枠に組み込み、掃除機の吸気側に着脱自在に接続するようにして設け、被検知物に接触して濡れを検知し、乾燥するので検知力が優れ、汚れも吸気して除去するので出来栄えが向上し、乾燥機を必要としないこととから経済的で、乾燥機の準備時間も解消することから効率的である。
第四発明によれば、複数の素子を、ノズル枠の内側と外側とが対になるように設け、被検知物とは非接触になるようにしているので摩擦による故障、摩耗が無く、検知性能が安定する。
【発明を実施するための最良の形態】
【００１０】  この発明の一実施形態を、図１、図２、図３、図４に示す。
この濡れ検知ノズルは樹脂でできており、ノズル枠２に、センサー部３、コンパレータ部４、アラーム５部、平衡調整部６及び電源部７を一体に組み込んで、排気口２ｇを掃除機９の吸気口９ａに着脱自在に接続して、被検知物８の表部８ａに付着している濡れＡ及び内部８ｂ、底部８ｃに付着している濡れＢを隈なく吸気して濡れを検知し、乾燥するようにしている。【００１１】  また、ノズル枠２は、図１、図２、図３に示すように、エッジ２ｄが囲む四角面を被検知物８に接触して操作し、被検知物８の内部８ｂと底部８ｃの濡れＢの湿気Ｄを枠内空間２ｅに吸気し、スリット２ｃから取り込む空気Ｃと、被検知物８の表部８ａの濡れＡの湿気Ｅとを撹拌し、湿気Ｄと湿気Ｅの気化が活発になるようにし、空気Ｃと、湿気Ｄと、湿気Ｅとの混合気体Ｆは、吸気口２ｆから排気口２ｇを介して掃除機９の吸気口９ａに吸気するようにしている。【００１２】  また、センサー部３は、図１、図２、図３に示すように、ノズル枠２の内側に２ａと外側２ｂとを対にして素子３ａ、３ｂを被検知物８とは非接触になるように設け、素子３ａは、湿気Ｄと湿気Ｅの気化熱で変化する温度を感知し、素子３ｂは、空気中の気温を同時に感知するようにしている。【００１３】  また、コンパレータ部４は、図１、図３、図４に示すように、基板４ａに、平衡調整部６とアラーム５部をユニット化して一体に組み込み、平衡回路４ｂを素子３ａ、３ｂで構成し、素子特性のバラツキ及び環境変化による平衡回路の電圧バランスのズレを平衡調整部６で調整して検知精度を高め、温度比較部４ｃで素子３ａ、３ｂ間の温度差を検出して検知信号出力部４ｄで検知信号を発信し、この検知信号を増幅部４ｅで増幅してアラーム部５に出力するようにしている。【００１４】  また、アラーム部５は、図１、図４に示すように、検知信号を受信して、基板４ａに一体に組み込んだブザー５ａと、ＬＥＤ５ｂと、ノズル枠２に設けた振動子５ｃとから音、光、振動を発するようにしている。
また、電源部７は、図１に示すように、センサー部３、コンパレータ部４、アラーム部５、平衡調整部６に電気エネルギーを供給するための電池７ａをノズル枠２に設け、基板４ａに一体に組み込んだスイッチ７ｂで電源を入切りし、ＬＥＤ７ｃでスイッチ７ｂの状態を確認するようにしている。【００１５】  また、この実施例のＬＥＤ５ｂ、７ｃは、赤色と緑色を切り替えて現示できるものを使用している。
以上、実施例に従って本発明を説明したが、本発明は、このような実施例に限定されるものではなく、本発明の要旨を逸脱しない範囲で様々に実施できる。
【実施形態の効果】
【００１６】  この実施形態によれば、この濡れ検知ノズルは掃除機の吸気側に着脱自在に接続し、清掃をしながら濡れを検知して吸気乾燥できることから清掃効率と出来栄えを向上するのに有効であり、さらにコードレス掃除機に接続すれば機動性が高まり、電車、飛行機、船舶等の大量輸送機関、会議場、劇場、映画館等の観劇施設に据え付けられている座席シートの清掃整備及びホテル、介護施設、病院等のベッドメイク作業の効率を高め、出来栄え向上を図るのに有効である。
【他の実施形態】
【００１７】  図１、図２、図３の実施形態では、センサー部と被検知物とが非接触になる方式のものを用いているが、他の実施形態ではセンサー部と被検知物とが接触する方式のものを用いたものでも良い。
図１、図２、図３の実施形態では、複数の素子を一対にして設けて用いているが、他の実施形態では複数の素子を複数対にして設けて用いたものでも良い。
図１、図２、図３の実施形態では、ノズル枠に樹脂を用いているが、他の実施形態では金属等を用いたものでも良い。
【００１８】  図１、図２、図３、図４の実施形態では、掃除機の吸気側を用いているが、他の実施形態ではルーツブロアーを用いたものでも良い。
図１、図２、図３、図４の実施形態では、掃除機の吸気側に接続して用いているが、他の実施形態では濡れ検知ノズルを濡れ検知装置として単独に用いたものでも良い。
【図面の簡単な説明】
【００１９】
【図１】本発明の一実施形態に関わる濡れ検知ノズルの斜視透視図である。
【図２】本発明の一実施形態に関わる濡れ検知ノズルの平面透視図である。
【図３】本発明の一実施形態に関わる濡れ検知ノズルの正面透視図である。
【図４】本発明の一実施形態に関わる濡れ検知ノズルの動作フロー図である。
【符号の説明】
【００２０】１  濡れ検知ノズル
２  ノズル枠
３  センサー部
４  コンパレータ部
５  アラーム部
６  平衡調整部
７  電源部
８  被検知物
９  掃除機
２ａ  ノズル枠内側
２ｂ  ノズル枠外側
２ｃ  スリット
２ｄ  エッジ（縁）
２ｅ  枠内空間
２ｇ、９ａ  吸気口
２ｆ  排気口
３ａ、３ｂ  素子
４ａ  基板
４ｂ  平衡回路
４ｃ  温度比較部
４ｄ  検知信号出力部
４ｅ  増幅部
５ａ  ブザー
５ｂ、７ｃ  ＬＥＤ（二現示式）
５ｃ  振動子
７ａ  電池
７ｂ  スイッチ
８ａ  表部
８ｂ  内部
８ｃ  底部
Ａ  被検知物表面に付着する水、湿気（濡れ）
Ｂ  被検知物内部・底部に付着する水、湿気（濡れ）
Ｃ  撹拌空気
Ｄ  検知物Ｂに含まれる湿気
Ｅ  検知物Ａに含まれる湿気
Ｆ  撹拌空気Ｃと、湿気Ｄと、湿気Ｅとの混合気体
【図１】
0004697259.tif 000002
【図２】
0004697259.tif 000003
【図３】
0004697259.tif 000004
【図４】
0004697259.tif 000005